(57)【特許請求の範囲】
【請求項１】
肩紐を備える下着及び該下着の上に着る衣服を着用した際に、胸元の衣服がずれて下着が露出するのを防止するための胸元の衣服ズレ防止具であって、
前記下着を構成する肩紐に固定するための少なくとも一つの肩紐固定部と、前記衣服に固定するための少なくとも一つの衣服固定部と、前記肩紐固定部及び前記衣服固定部を連結して延在する連結部とを備え、
前記胸元の衣服ズレ防止具を下着及び衣服へ装着して使用する際に、前記肩紐固定部、前記連結部、前記衣服固定部は全て同一直線状に在ることを特徴とする胸元の衣服ズレ防止具。
【請求項２】
前記連結部は、前記肩紐固定部と前記衣服固定部間の長さの調節が可能であり、かつ、伸縮可能な材料からなることを特徴とする請求項１に記載の胸元の衣服ズレ防止具。
【請求項３】
前記連結部は複数の構成要素からなり、隣り合う構成要素間を繋ぐための結合部をさらに備えることを特徴とする請求項１又は２に記載の胸元の衣服ズレ防止具。
【発明の詳細な説明】
【技術分野】
【０００１】
本発明は、下着及び該下着の上に着る衣服を着用した際に、胸元の衣服がずれて下着が露出するのを防止するための胸元の衣服ズレ防止具に関し、さらには、アクセサリーとしても使用可能な胸元の衣服ズレ防止具に関する。
【背景技術】
【０００２】
日常において、ブラジャーやスリップのような肩紐を備える下着の上に衣服を着用した場合、何か動作をする際に衣服の胸元部分がずれて、衣服の下に着用している下着が露出してしまう場合がある。例えば前傾姿勢になった際には、衣服の胸元部分が大きく撓むことになり、このような現象は顕著である。
【０００３】
これに対し特許文献１は、胸元の下着が見えてしまうのを防止するために、衣服及び下着の両者を、衣服や下着を傷付けないクリップでまとめて同時に留めることを提案している。
【先行技術文献】
【特許文献】
【０００４】
【特許文献１】特開２００６−２８０８８１号公報
【発明の概要】
【発明が解決しようとする課題】
【０００５】
しかし、特許文献１では、衣服の外側面と下着の肌側面をクリップのみでまとめて同時に挟むため、衣服と下着を同じ位置で留める必要がある。従って、下着の胸元部分が、胸に近い位置にしか存在しないブラジャーのような場合には、衣服をブラジャーの位置まで下げて、衣服の外側面とブラジャーの肌側面をクリップで挟むことになり、結局、胸元部分が大きく開いてしまうことになる。また、胸元に位置する部分が胸よりも高い位置まで存在するスリップのような場合であっても、例えば前傾姿勢になった際にはスリップの胸元自体にも撓みが生じてしまうため、衣服と下着をクリップで留めても、結局、衣服の胸元部分に撓みが生じて、下着が見えてしまう。
【０００６】
従って、本発明の目的は、下着及び該下着の上に着る衣服を着用した際に、胸元の衣服がずれて下着が露出するのを防止することができ、同時に、上記のような問題も生じることのない、胸元の衣服ズレ防止具を提供することにある。
【課題を解決するための手段】
【０００７】
すなわち、本発明の要旨構成は以下の通りである。
【０００８】
（１）肩紐を備える下着及び該下着の上に着る衣服を着用した際に、胸元の衣服がずれて下着が露出するのを防止するための胸元の衣服ズレ防止具であって、
前記下着を構成する肩紐に固定するための少なくとも一つの肩紐固定部と、前記衣服に固定するための少なくとも一つの衣服固定部と、前記肩紐固定部及び前記衣服固定部を連結して延在する連結部とを備え、
前記胸元の衣服ズレ防止具を下着及び衣服へ装着して使用する際に、前記肩紐固定部、前記連結部、前記衣服固定部は全て同一直線状に在ることを特徴とする胸元の衣服ズレ防止具。
【０００９】
（２）前記連結部は、前記肩紐固定部と前記衣服固定部間の長さの調節が可能であり、かつ、伸縮可能な材料からなることを特徴とする（１）に記載の胸元の衣服ズレ防止具。
【００１０】
（３）前記連結部は複数の構成要素からなり、隣り合う構成要素間を繋ぐための結合部をさらに備えることを特徴とする（１）又は（２）に記載の胸元の衣服ズレ防止具。
【発明の効果】
【００１１】
本発明によれば、下着及び該下着の上に着る衣服を着用した際に、胸元の衣服がずれて下着が露出するのを防止することができる、胸元の衣服ズレ防止具の提供が可能となる。
【図面の簡単な説明】
【００１２】
【図１】この発明に従う第一の実施形態を示す図である。
【図２】この発明に従う第二の実施形態を示す図である。
【図３】（ａ）は、この発明に従う第三の実施形態を示す図であり、（ｂ）は、（ａ）で示す結合部の拡大図である。
【発明を実施するための形態】
【００１３】
以下、この発明の実施の形態を図面に基づき説明する。
図１は、この発明に従う胸元の衣服ズレ防止具の第一の実施形態を示す。図中、１は人を、２は下着（ブラジャー）を、３は衣服を示している。
【００１４】
第一の実施形態における胸元の衣服ズレ防止具４は、下着２の肩紐２ａ、２ｂにそれぞれ固定される２つの肩紐固定部５ａ、５ｂと、下着２の上に着る衣服３の胸元に固定される１つの衣服固定部６と、肩紐固定部５ａ及び衣服固定部６間、肩紐固定部５ｂ及び衣服固定部６間をそれぞれ結んで直線状に延在する連結部７ａ、７ｂを有する。
衣服固定部６は、下着２及び衣服３を着用している人１の中央（下着２の中央谷部上）に配置されており、肩紐固定部５ａと衣服固定部６間の距離と、肩紐固定部５ｂと衣服固定部６間の距離は等しい。直線状の連結部７ａの長さ寸法は、肩紐固定部５ａ及び衣服固定部６の間の距離と等しく、連結部７ｂの長さ寸法は、肩紐固定部５ｂ及び衣服固定部６の間の距離と等しい。
【００１５】
ここで、下着の肩紐２ａ、２ｂは人１の腕周りに固定されており、人１が屈んだり、前傾姿勢になる場合であっても、肩紐２ａ、２ｂの位置はほぼ同じ位置に保持される。従って、肩紐２ａ、２ｂに固定された肩紐固定部５ａ、５ｂもまた、屈んだり、前傾姿勢になる等の動作をした場合であっても、肩紐２ａ、２ｂ上で、人１に対して同じ位置を保つことができる。
そして、この実施形態の胸元の衣服ズレ防止具４では、このように人１の動きの影響を受けにくい肩紐固定部５ａ、５ｂと衣服３の胸元に固定された衣服固定部６の間に、それぞれ連結部７ａ、７ｂを直線状に延在させ、肩紐固定部及び衣服固定部間で互いに引っ張り合うように構成されるため、衣服固定部６もまた、連結部７ａ、７ｂを介して肩紐固定部５ａ、５ｂに引っ張られて、人１に対して同じ位置を保つことができる。すなわち、肩紐２ａ、２ｂを支持体としてこれに固定された肩紐固定部５ａ、５ｂと、衣服固定部６間の最大距離を、それぞれ連結部７ａ、７ｂの長さ寸法に常に保つことができるので、人１が屈んだり前傾姿勢になる等の動作をする場合であっても、衣服固定部６が、肩紐固定部５ａ、５ｂから連結部７ａ、７ｂの長さ寸法以上に離れることはない。その結果、衣服固定部６を固定した衣服の胸元部分も、肩紐固定部５ａ、５ｂから連結部７ａ、７ｂの長さ寸法以上にずれることがないので、下着が見えてしまうのを防ぐことが可能となる。
【００１６】
なお、本発明の胸元の衣服ズレ防止具において、下着は、肩紐を備えることを要し、具体例としては、ブラジャーやスリップ等が挙げられる。また、衣服は、下着の上に着る衣服を指し、下着を含まない。
【００１７】
本発明において、連結部７ａ、７ｂは、肩紐固定部５ａ、５ｂと衣服固定部６を連結して延在する部材である。連結部７ａ、７ｂの材質は特に限定されるものではないが、伸縮可能な材料からなるのが好ましい。具体的には、例えば、ゴム紐、シリコーン紐、ポリウレタン紐の他、金属やゴム材からなるバネ等を用いることができる。これらの材料は単独で用いてもよいし、２種以上を組み合わせて用いてもよい。
このように、伸縮可能な材料を用いることで、屈んだり、前傾姿勢になる等の人の動作にも対応しやすくなるとともに、上記のように連結部７ａ、７ｂの長さ寸法を一定長に保って、衣服がずれるのを防止することができる。また、伸縮可能な材料を用いることで、肩紐固定具５ａ、５ｂが肩紐２ａ、２ｂから外れる事を、衣服固定部６が衣服３から外れる事を防止する効果がある。
なお、連結部７ａ、７ｂは、人１の胸元部で延在して肌と接触するため、肌に当たっても痛くない材料を用いることが好ましく、この観点からも、例えば上記のような材料を用いるのがよい。
【００１８】
一方で、連結部７ａ、７ｂは人１の胸元部に延在して外側に露出するため、装飾を施す観点から、伸縮可能な上記材料に限定せず、金属等のチェーンを用いることもできる。また、例えば伸縮可能な材料に色付けや模様を加工したり、ビーズ等を付加させることもできる。
このように、連結部７ａ、７ｂは、必要に応じて最適な材料を選択して用いることができる。
【００１９】
また、本発明の胸元の衣服ズレ防止具４において、上記連結部７ａ、７ｂは、肩紐固定部５ａと衣服固定部６の間の長さと、肩紐固定部５ｂと衣服固定部６の間の長さが、それぞれ調節可能であることが好ましい。
具体的には、例えば図１に示すように、連結部７ａ、７ｂは、それぞれ長さ調節機構８ａ、８ｂを有する。長さ調節機構８ａ、８ｂには、ゴム紐である連結部７ａ、７ｂに対して左右に可動な、スライド式のアジャスターを用いることができる。但し、長さ調節機構は必ずしもこれに限定されるわけではなく、連結部の材料に応じて、適宜、他の長さ調節機構を用いてもよい。
かかる長さ調節機構８ａ、８ｂを用いて連結部７ａ、７ｂの長さを変化させることによって、肩紐固定部５ａ、５ｂから衣服固定部６までの最大長さ寸法を自在に調節することができる。これにより、衣服固定部６を人１の胸元の所望の位置に固定させることが可能となり、胸元の衣服３が撓んで、この所望の位置よりも下がってしまうのを防ぐことが可能となる。
【００２０】
なお、図１では、連結部が２つの場合を示したが、本発明において、連結部の数はこれに限定されず、１つ又は３つ以上であってもよい。
【００２１】
本発明の胸元の衣服ズレ防止具４において、肩紐固定部５ａ、５ｂは、下着２を構成する肩紐２ａ、２ｂの各々に固定するための部材であり、衣服固定部６は、衣服３に固定するための部材である。
肩紐固定部５ａ、５ｂ及び衣服固定部６は、例えばクリップを用いることによって、それぞれ、下着２の肩紐２ａ、２ｂ、衣服３の胸元部分へ固定することができる。クリップを用いる場合には、下着及び衣服に対して強く固定可能であるように、かつ下着及び衣服を傷付けることがないように、下着及び衣服を挟む面が複数の曲状の凸部を有するクリップとすることが好ましい。但し、肩紐固定部５ａ、５ｂ及び衣服固定部６は必ずしもクリップである必要はなく、肩紐固定部５を肩紐２へ、衣服固定部６を衣服の胸元部分へ固定することができれば、ボタンやマジックテープ（登録商標）等の他の材料に代替可能である。
【００２２】
また、衣服固定部６は、ペンダント等の装飾品を取付け可能であるようにすることができる。具体的には、例えば図１に示すように、衣服３の外側にペンダント（ハート状のもの）が見えるように、ペンダントを、上記クリップ等の衣服固定部６を覆うようにして付着させる。
衣服固定部６は、衣服３の胸元位置の外面に固定されるため、外側に露出されることになる。従って、衣服固定部６に装飾品を取付けることによって外観の美感を良好なものにし、胸元の衣服ズレ防止具４をアクセサリーとして使用することも可能となる。
【００２３】
なお、図１では、衣服固定部６を衣服３の中央部に配置する例を示したが、衣服固定部６は衣服３の胸元付近のどこに固定してもよい。例えば、衣服３の胸元の撓みが最も大きい位置に衣服固定部６を配置して、連結部７ａ及び７ｂの長さ寸法が異なるように構成してもよい。
また、図１では、肩紐固定部が２つの場合を示したが、肩紐固定部は１つであっても、３つ以上であってもよい。図１では、衣服固定部が１つの場合を示したが、衣服固定部は、２つ以上であってもよい。
【００２４】
次に示す図２は、この発明に従う胸元の衣服ズレ防止具の第二の実施形態である。図中、図１と同じ参照番号は、図１と同じ構成要素を示す。
【００２５】
第二の実施形態における胸元の衣服ズレ防止具４は、下着２の肩紐２ａ、２ｂにそれぞれ固定される２つの肩紐固定部５ａ、５ｂと、衣服３の胸元に固定される２つの衣服固定部６ａ、６ｂと、肩紐固定部５ａ及び衣服固定部６ａ間、肩紐固定部５ｂ及び衣服固定部６ｂ間をそれぞれ結んで直線状に延在する連結部７ａ、７ｂを有する。肩紐固定部５ａ、５ｂ、衣服固定部６ａ、６ｂ、連結部７ａ、７ｂのその他の構成は、第一の実施形態で説明した通りである。
【００２６】
このように、第一の実施形態と同様に、人１の動きの影響を受けにくい肩紐２ａ、２ｂを支持体としてこれに固定された肩紐固定部５ａ、５ｂと、衣服３の胸元に固定された衣服固定部６ａ、６ｂの間に、それぞれ、直線状に延在する連結部７ａ、７ｂを配置して、肩紐固定部及び衣服固定部間で互いに引っ張り合うように構成している。従って、人１が屈んだり、前傾姿勢になる等の動作をする場合であっても、肩紐固定部５ａ、５ｂ及び衣服固定部６間の距離は、それぞれ連結部７ａ、７ｂの長さ寸法以上となることはない。その結果、衣服固定部６ａ、６ｂを固定した衣服の胸元部分がずれることがなく、下着が見えてしまうのを防ぐことが可能となる。また、この第二の実施形態によれば、２個の衣服固定部６ａ、６ｂを用いて衣服３の胸元部分を２箇所で固定しているため、胸元の衣服がさらにずれにくくなり、下着が見えてしまうのをさらに良好に防止することができる。
【００２７】
以上のように、この発明に従う衣服ズレ防止具は、２つの肩紐に固定される肩紐固定部から、１つの衣服固定部のみに対して連結部を延在させる構成だけでなく、複数の肩紐固定部から、複数の衣服固定部に対して、これらの間に延在して両者間を引っ張り合う連結部を設ける構成としてもよい。
【００２８】
次に示す図３（ａ）は、この発明に従う胸元の衣服ズレ防止具の第三の実施形態である。図中、図１と同じ参照番号は、図１と同じ構成要素を示す。
【００２９】
第三の実施形態における胸元の衣服ズレ防止具４は、下着２の肩紐２ａ、２ｂにそれぞれ固定される２つの肩紐固定部５ａ、５ｂと、衣服３の胸元に固定される１つの衣服固定部６と、肩紐固定部５ａ及び衣服固定部６間、肩紐固定部５ｂ及び衣服固定部６間をそれぞれ結んで直線状に延在する連結部７ａ、７ｂを有する。
【００３０】
さらに、第三の実施形態においては、連結部７ａ、７ｂがそれぞれ複数の構成要素からなり、隣り合う構成要素間を繋ぐための結合部１１ａ、１１ｂを備えている。
具体的には、図３に示すように、連結部７ａは、肩紐固定部５ａ側に配置される第１構成要素９ａ及び衣服固定部６側に配置される第２構成要素１０ａで構成されており、第１構成要素９ａと第２構成要素１０ａは、結合部１１ａによって結合されている。連結部７ｂもまた、肩紐固定部５ｂ側に配置される第１構成要素９ｂ及び衣服固定部６側に配置される第２構成要素１０ｂによって構成されており、第１構成要素９ｂと第２構成要素１０ｂは、結合部１１ｂによって結合されている。
【００３１】
第１構成要素９ａ、９ｂは、第一の実施形態で説明した連結部７ａ（又は７ｂ）と同様に、ゴム紐等の伸縮可能な材料を用いており、それぞれ、長さ調節機能８ａ、８ｂを具えている。
一方、第２構成要素１０ａ、１０ｂは、金属等のチェーンのような、装飾品的な要素を有する材料を用いている。衣服３のずれを防止するために、衣服固定部６は、衣服３の胸元部分が最も撓み易い箇所に配置されるので、両肩紐間を延在する連結部７ａ、７ｂのうち、衣服が撓み易い衣服固定部６の近傍に位置する連結部は、外側に露出されることになる。そこで、上記のように、衣服固定部６側の連結部を構成する第２構成要素に対してチェーン等の外観の良い材料を用いることによって、第２構成要素１０ａ、１０ｂを、胸元部分に位置するアクセサリーとして使用することができる。
【００３２】
図３（ｂ）は、結合部１１ａの拡大図を示す。結合部１１ａは、図３（ｂ）に示すように、例えば、第１構成要素９ａの衣服固定部６側の端部に具えられる留め具１００と、第２構成要素１０ａの肩紐固定部５ａ側の端部に備えられる引き輪１０１によって構成され、留め具１００に対して引き輪１０１を係合することによって、第１構成要素９ａ及び第２構成要素１０ａが結合される。上記構成は、結合部１１ｂも同様である。また、当然のことながら、第１構成要素９ａの衣服固定部６側の端部に引き輪１０１を設け、第２構成要素１０ａの肩紐固定部５ａ側の端部に留め具１００を設けるようにしてもよい。
【００３３】
このように、結合部１１ａ、１１ｂを介して、連結部７ａ、７ｂを構成する第２構成要素１０ａ、１０ｂ及び衣服固定部６は自在に取外し可能であるで、必要に応じて、第２構成要素１０ａ、１０ｂ及び衣服固定部６を変更することができる。従って、第三の実施形態によれば、アクセサリーとして使用可能な連結部の一部（第２構成要素１０ａ、１０ｂ）及び衣服固定部６を、適宜他の種類の連結部の一部及び衣服固定部に置換することにより、ファッション性を高めることができる。
【００３４】
この発明によれば、下着及び衣服を着用した際に、胸元の衣服がずれて下着が露出するのを防止することができるとともに、アクセサリーとしても使用可能な、胸元衣服ズレ防止具を提供することが可能となった。
【符号の説明】
【００３５】
１              人
２              下着
２ａ、２ｂ      肩紐
３              衣服
４              胸元の衣服ズレ防止具
５ａ、５ｂ      肩紐固定部
６ａ、６ｂ      衣服固定部
７ａ、７ｂ      連結部
８ａ、８ｂ      長さ調節機構
９ａ、９ｂ      第１構成要素
１０ａ、１０ｂ  第２構成要素
１１ａ、１１ｂ  結合部
１００          留め具
１０１          引き輪
【要約】
【課題】下着及び該下着の上に着る衣服を着用した際に、胸元の衣服がずれて下着が露出するのを防止することができる、胸元の衣服ズレ防止具を提供する。
【解決手段】肩紐（２ａ、２ｂ）を備える下着（２）及び該下着の上に着る衣服（３）を着用した際に、胸元の衣服がずれて下着が露出するのを防止するための胸元の衣服ズレ防止具（４）であって、前記下着を構成する肩紐（２ａ、２ｂ）に固定するための少なくとも一つの肩紐固定部（５ａ、５ｂ）と、前記衣服に固定するための少なくとも一つの衣服固定部（６）と、前記肩紐固定部（５ａ、５ｂ）及び前記衣服固定部（６）を連結して延在する連結部（７ａ、７ｂ）とを備え、前記胸元の衣服ズレ防止具（４）を下着及び衣服へ装着して使用する際に、前記肩紐固定部（５ａ、５ｂ）、前記連結部（７ａ、７ｂ）、前記衣服固定部（６）は全て同一直線状に在ることを特徴とする胸元の衣服ズレ防止具（４）である。
【選択図】図１【図１】
0004714795.tif 000002
【図２】
0004714795.tif 000003
【図３】
0004714795.tif 000004